(57)【要約】【課題】他の太陽電池モジュールに対する位置決めを高精度に実現して集団梱包を作業性良く実現できる太陽電池モジュールを提供する。【解決手段】太陽電池モジュール１は、太陽電池セル１２が配置され受光面１１ｆおよび裏面１１ｒを有するセル領域１１と、セル領域１１の周囲に配置された枠体２０とを備える。枠体２０は、他の太陽電池モジュール１と重ねられたとき、他の太陽電池モジュール１の枠体２０に対して相互に位置決めする凸部３０を備える。凸部３０は、受光側枠部２６に対して外周面２８ｓに沿う方向で突出し他の太陽電池モジュール１の枠体２０が有する外周面２８ｓに当接する構造とされた外周凸部３１である。【選択図】図１Ａ
2013110222.tif 000002
【特許請求の範囲】
【請求項１】
太陽電池セルが配置され受光面および裏面を有するセル領域と、セル領域の周囲に配置された枠体とを備える太陽電池モジュールであって、
前記枠体は、他の太陽電池モジュールと重ねられたとき、前記他の太陽電池モジュールの枠体に対して相互に位置決めする凸部を備えること
を特徴とする太陽電池モジュール。
【請求項２】
請求項１に記載の太陽電池モジュールであって、
前記枠体は、前記受光面側に配置された受光側枠部と、前記裏面側に配置された裏側枠部と、前記受光側枠部および前記裏側枠部を連結して一体化し前記受光面と交差する方向に位置する外周面を有する外周枠部とを備え、
前記凸部は、前記受光側枠部および前記裏側枠部のいずれか一方に対して前記外周面に沿う方向で突出し前記他の太陽電池モジュールの前記枠体が有する外周面に当接する構造とされた外周凸部であること
を特徴とする太陽電池モジュール。
【請求項３】
請求項２に記載の太陽電池モジュールであって、
前記受光側枠部、前記裏側枠部、および前記外周枠部は、対向して配置された第１辺枠および第２辺枠とされてあり、
前記外周凸部は、前記第１辺枠および前記第２辺枠の双方に配置されていること
を特徴とする太陽電池モジュール。
【請求項４】
請求項３に記載の太陽電池モジュールであって、
前記外周凸部は、前記第１辺枠および第２辺枠の少なくとも１つで長さ方向に沿って延長されていること
を特徴とする太陽電池モジュール。
【請求項５】
請求項１に記載の太陽電池モジュールであって、
前記枠体は、前記受光面側に配置された受光側枠部と、前記裏面側に配置された裏側枠部と、前記受光側枠部および前記裏側枠部を連結して一体化する外周枠部とを備え、
前記凸部は、前記受光側枠部から突出し前記他の太陽電池モジュールの前記枠体に対向する対向凸部であり、
前記裏側枠部は、平面視で前記対向凸部に位置合わせして形成され前記対向凸部が嵌め込まれる形状を有する凹部を備えること
を特徴とする太陽電池モジュール。
【請求項６】
請求項１に記載の太陽電池モジュールであって、
前記枠体は、前記受光面側に配置された受光側枠部と、前記裏面側に配置された裏側枠部と、前記受光側枠部および前記裏側枠部を連結して一体化する外周枠部とを備え、
前記凸部は、前記裏側枠部から突出し前記他の太陽電池モジュールの前記枠体に対向する対向凸部であり、
前記受光側枠部は、平面視で前記対向凸部に位置合わせして形成され前記対向凸部が嵌め込まれる形状を有する凹部を備えること
を特徴とする太陽電池モジュール。
【請求項７】
請求項５または請求項６のいずれか一つに記載の太陽電池モジュールであって、
前記受光側枠部、前記裏側枠部、および前記外周枠部は、対向して配置された第１辺枠および第２辺枠とされてあり、
前記対向凸部は、前記第１辺枠および前記第２辺枠の双方に配置されていること
を特徴とする太陽電池モジュール。
【請求項８】
請求項５または請求項６のいずれか一つに記載の太陽電池モジュールであって、
前記枠体は、４つの枠辺が相互に対向する矩形とされてあり、
前記対向凸部は、前記矩形の対角にある２つの角部に配置されていること
を特徴とする太陽電池モジュール。
【請求項９】
請求項１に記載の太陽電池モジュールであって、
前記枠体は、前記受光面側に配置された受光側枠部と、前記裏面側に配置された裏側枠部と、前記受光側枠部および前記裏側枠部を連結して一体化する外周枠部とを備え、
前記受光側枠部、前記裏側枠部、および前記外周枠部は、対称な形状で対向して配置された第１辺枠および第２辺枠とされてあり、
前記凸部は、前記第１辺枠の前記受光側枠部から突出して前記他の太陽電池モジュールの前記枠体に対向する対向凸部であり、
前記第２辺枠は、前記枠体を平面上で１８０度回転させたときの前記対向凸部に位置合わせして前記裏側枠部に形成され前記対向凸部が嵌め込まれる形状を有する凹部を備えること
を特徴とする太陽電池モジュール。
【請求項１０】
請求項１から請求項９までのいずれか一つに記載の太陽電池モジュールであって、
前記凸部は、前記他の太陽電池モジュールと重なる方向での突出高さが５ｍｍないし８ｍｍであること
を特徴とする太陽電池モジュール。
【発明の詳細な説明】
【技術分野】
【０００１】
本発明は、他の太陽電池モジュールに対して位置決めする凸部を有する太陽電池モジュールに関する。
【背景技術】
【０００２】
太陽電池モジュールの梱包（梱包して輸送）を行う際に、段ボールで１つずつ梱包した場合、多量の段ボールが必要となり、またダンボールの処理に工数が掛かるなどコスト面、作業性などでの問題があることから、できるだけ多くの太陽電池モジュールを集団梱包して扱うことが望まれている。
【０００３】
太陽電池モジュールの梱包（輸送時の梱包）に対する提案として、光起電力モジュールを水平に積み重ねることができる差込みシステムが提案されている（例えば、特許文献１参照。）。特許文献１に記載の差込みシステムは、荷重除去柱と、内側に光起電力モジュール用載置装置としての荷重受止め支持異形材と、上側又は下側にほぞを持ち、下側又は上側にほぞをはめ合いで受け入れるための空所を持っている。
【０００４】
Ｎ個のモジュールを積み重ねた梱包を行うためには、４×Ｎ個の「差込みシステム」が必要となる。したがって、実際の梱包作業では、作業数が多くなり、集団梱包工程に多くの時間を必要とすることとなる。また、梱包をほどいた後、「差込みシステム」という多量の廃棄物が発生し、回収する場合にも、数が多いことから、回収管理業務の負担が大きいという問題がある。
【先行技術文献】
【特許文献】
【０００５】
【特許文献１】特開２００６−３２９７８号公報
【発明の概要】
【発明が解決しようとする課題】
【０００６】
しかし、太陽電池モジュールに対する集合梱包を行った場合、搬送中のゆれ等により、太陽電池モジュールの位置ずれが生じるという問題がある。つまり、太陽電池モジュールは、太陽電池セルを封止した後、受光面となる透光性基板などを周囲の環境から保護するためにフレーム（外枠）が取り付けられる。したがって、フレームを備える太陽電池モジュールをそのまま積み重ねた場合、重ねた太陽電池モジュールのフレームが互いに接触することとなり、平坦なフレーム表面が相互に接した状態であることから、滑りやすく、また、重ねられた上下の太陽電池モジュールの位置ずれが生じやすい。特に金属製のフレームを用いた場合は、問題が生じやすい。
【０００７】
本発明はこのような状況に鑑みてなされたものであり、太陽電池モジュールが備える枠体に他の太陽電池モジュールに対して位置決めする凸部を設けることによって、他の太陽電池モジュールに対する位置決めを高精度に実現して集団梱包を作業性良く実現できる太陽電池モジュールを提供することを目的とする。
【課題を解決するための手段】
【０００８】
本発明に係る太陽電池モジュールは、太陽電池セルが配置され受光面および裏面を有するセル領域と、セル領域の周囲に配置された枠体とを備える太陽電池モジュールであって、前記枠体は、他の太陽電池モジュールと重ねられたとき、前記他の太陽電池モジュールの枠体に対して相互に位置決めする凸部を備えることを特徴とする。
【０００９】
したがって、本発明に係る太陽電池モジュールは、他の太陽電池モジュールと相互に重ね合わされたとき両方の枠体を相互に位置決めする凸部を備えることから、他の太陽電池モジュールと高精度に重ね合わされるので、正確に位置決めしたモジュール集団梱包を作業性良く実現できる。
【００１０】
また、本発明に係る太陽電池モジュールでは、前記枠体は、前記受光面側に配置された受光側枠部と、前記裏面側に配置された裏側枠部と、前記受光側枠部および前記裏側枠部を連結して一体化し前記受光面と交差する方向に位置する外周面を有する外周枠部とを備え、前記凸部は、前記受光側枠部および前記裏側枠部のいずれか一方に対して前記外周面に沿う方向で突出し前記他の太陽電池モジュールの前記枠体が有する外周面に当接する構造とされた外周凸部であることを特徴とする。
【００１１】
したがって、本発明に係る太陽電池モジュールは、枠体が備える外周枠部の外周面に沿う方向で配置された外周凸部が受光側枠部および裏側枠部のいずれか一方から突出され互いに重なる他の太陽電池モジュールの枠体が備える外周面に当接して位置決めされることから、他の太陽電池モジュールの枠体が備える外周面に対して外周凸部を当接させるので、他の太陽電池モジュールと重ねられたときに確実な位置決めをすることができる。
【００１２】
また、本発明に係る太陽電池モジュールでは、前記受光側枠部、前記裏側枠部、および前記外周枠部は、対向して配置された第１辺枠および第２辺枠とされてあり、前記外周凸部は、前記第１辺枠および前記第２辺枠の双方に配置されていることを特徴とする。
【００１３】
したがって、本発明に係る太陽電池モジュールは、対向して配置された第１辺枠および第２辺枠の双方に外周凸部を配置していることから、他の太陽電池モジュールに重ねられたときに高精度でかつ強固に集団梱包される。
【００１４】
また、本発明に係る太陽電池モジュールでは、前記外周凸部は、前記第１辺枠および第２辺枠の少なくとも１つで長さ方向に沿って延長されていることを特徴とする。
【００１５】
したがって、本発明に係る太陽電池モジュールは、枠体（辺枠）の長さ方向に沿って延長された外周凸部を備えることから、安定した位置決めが可能となる。
【００１６】
また、本発明に係る太陽電池モジュールでは、前記枠体は、前記受光面側に配置された受光側枠部と、前記裏面側に配置された裏側枠部と、前記受光側枠部および前記裏側枠部を連結して一体化する外周枠部とを備え、前記凸部は、前記受光側枠部から突出し前記他の太陽電池モジュールの前記枠体に対向する対向凸部であり、前記裏側枠部は、平面視で前記対向凸部に位置合わせして形成され前記対向凸部が嵌め込まれる形状を有する凹部を備えることを特徴とする。
【００１７】
したがって、本発明に係る太陽電池モジュールは、受光側枠部から突出した対向凸部と、対向凸部に平面視で位置合わせして裏側枠部に形成され対向凸部が嵌め込まれる形状を有する凹部とを備えることから、他の太陽電池モジュールと重ねられたときに、対向凸部が他の太陽電池モジュールの凹部に嵌め込まれるので、重ねられた両方の枠体を高精度でかつ強固に位置決めすることができ、集団梱包の作業性を向上することができる。
【００１８】
また、本発明に係る太陽電池モジュールでは、前記枠体は、前記受光面側に配置された受光側枠部と、前記裏面側に配置された裏側枠部と、前記受光側枠部および前記裏側枠部を連結して一体化する外周枠部とを備え、前記凸部は、前記裏側枠部から突出し前記他の太陽電池モジュールの前記枠体に対向する対向凸部であり、前記受光側枠部は、平面視で前記対向凸部に位置合わせして形成され前記対向凸部が嵌め込まれる形状を有する凹部を備えることを特徴とする。
【００１９】
したがって、本発明に係る太陽電池モジュールは、裏側枠部から突出した対向凸部と、対向凸部に平面視で位置合わせして受光側枠部に形成され対向凸部が嵌め込まれる形状を有する凹部とを備えることから、他の太陽電池モジュールと重ねられたときに、対向凸部が他の太陽電池モジュールの凹部に嵌め込まれるので、重ねられた両方の枠体を高精度でかつ強固に位置決めすることができ、集団梱包の作業性を向上することができる。
【００２０】
また、本発明に係る太陽電池モジュールでは、前記受光側枠部、前記裏側枠部、および前記外周枠部は、対向して配置された第１辺枠および第２辺枠とされてあり、前記対向凸部は、前記第１辺枠および前記第２辺枠の双方に配置されていることを特徴とする。
【００２１】
したがって、本発明に係る太陽電池モジュールは、対向して配置された第１辺枠および第２辺枠の双方に対向凸部を配置していることから、他の太陽電池モジュールとともに高精度でかつ強固に集団梱包される。
【００２２】
また、本発明に係る太陽電池モジュールでは、前記枠体は、４つの枠辺が相互に対向する矩形とされてあり、前記対向凸部は、前記矩形の対角にある２つの角部に配置されていることを特徴とする。
【００２３】
したがって、本発明に係る太陽電池モジュールは、４つの辺が相互に対向して形成する矩形の対角にある２つの角部に対向凸部を配置していることから、他の太陽電池モジュールとともに高精度でかつ強固に集団梱包される。
【００２４】
また、本発明に係る太陽電池モジュールでは、前記枠体は、前記受光面側に配置された受光側枠部と、前記裏面側に配置された裏側枠部と、前記受光側枠部および前記裏側枠部を連結して一体化する外周枠部とを備え、前記受光側枠部、前記裏側枠部、および前記外周枠部は、対称な形状で対向して配置された第１辺枠および第２辺枠とされてあり、前記凸部は、前記第１辺枠の前記受光側枠部から突出して前記他の太陽電池モジュールの前記枠体に対向する対向凸部であり、前記第２辺枠は、前記枠体を平面上で１８０度回転させたときの前記対向凸部に位置合わせして前記裏側枠部に形成され前記対向凸部が嵌め込まれる形状を有する凹部を備えることを特徴とする。
【００２５】
したがって、本発明に係る太陽電池モジュールは、対称な形状で対向して配置された第１辺枠および第２辺枠を備え、第１辺枠の受光側枠部から突出した対向凸部と、枠体を平面上で１８０度回転させたときの対向凸部に位置合わせして第２辺枠の裏側枠部に形成され対向凸部が嵌め込まれる形状を有する凹部とを備えることから、第１辺枠の受光側枠部に対向凸部を、第２辺枠の裏側枠部に凹部を備えるという簡単な構造で、他の太陽電池モジュールと重ねられたときに、対向凸部が他の太陽電池モジュールの凹部に嵌め込まれるので、重ねられた両方の枠体を高精度でかつ強固に位置決めすることができ、集団梱包の作業性を向上することができる。
【００２６】
また、本発明に係る太陽電池モジュールでは、前記凸部は、前記他の太陽電池モジュールと重なる方向での突出高さが５ｍｍないし８ｍｍであることを特徴とする。
【００２７】
したがって、本発明に係る太陽電池モジュールは、他の太陽電池モジュールに対する重なる方向での突出高さが、５ｍｍないし８ｍｍとされていることから、正確な位置決め、位置合わせ強度の確保、容易な形成が可能となり、また、設置された後、凸部によって発生する日陰の影響がセル領域へ及ぶことを防止できる。
【発明の効果】
【００２８】
本発明に係る太陽電池モジュールにおいて、枠体は、他の太陽電池モジュールと重ねられたとき、他の太陽電池モジュールの枠体に対して相互に位置決めする凸部を備える。
【００２９】
したがって、本発明に係る太陽電池モジュールは、他の太陽電池モジュールと相互に重ね合わされたとき両方の枠体を相互に位置決めする凸部を備えることから、他の太陽電池モジュールと高精度に重ね合わされるので、正確に位置決めしたモジュール集団梱包を作業性良く実現できるという効果を奏する。
【図面の簡単な説明】
【００３０】
【図１Ａ】本発明の実施の形態１に係る太陽電池モジュールの平面状態を示す平面図である。
【図１Ｂ】図１Ａに示した矢印１Ｂ−１Ｂでの太陽電池モジュールの断面状態を拡大して示す拡大断面図である。
【図１Ｃ】図１Ｂに示した太陽電池モジュールを複数重ねてモジュール集団梱包を形成したときの断面状態を示す断面図である。
【図２Ａ】本発明の実施の形態１に係る太陽電池モジュール（変形例１）の断面状態を示す断面図である。
【図２Ｂ】図２Ａに示した太陽電池モジュールを複数重ねてモジュール集団梱包を形成したときの断面状態を示す断面図である。
【図３】本発明の実施の形態１に係る太陽電池モジュール（変形例２）の平面状態を示す平面図である。
【図４Ａ】本発明の実施の形態２に係る太陽電池モジュール（変形例３）の平面状態を示す平面図である。
【図４Ｂ】図４Ａに示した矢印４Ｂ−４Ｂでの太陽電池モジュールの断面状態を拡大して示し、併せて太陽電池モジュールを複数重ねてモジュール集団梱包を構成するために位置合わせした状態を示す拡大断面図である。
【図５Ａ】本発明の実施の形態２に係る太陽電池モジュール１ｅ（変形例４）の平面状態を示す平面図である。
【図５Ｂ】図５Ａに示した矢印５Ｂ−５Ｂでの太陽電池モジュールの断面状態を拡大して示し、併せて太陽電池モジュールを複数重ねてモジュール集団梱包を構成するために位置合わせした状態を示す拡大断面図である。
【図６Ａ】本発明の実施の形態２に係る太陽電池モジュール（変形例５）の断面状態を示し、併せて太陽電池モジュールを複数重ねてモジュール集団梱包を構成するために位置合わせした状態を示す断面図である。
【図６Ｂ】本発明の実施の形態２に係る太陽電池モジュール（変形例６）の断面状態を示し、併せて太陽電池モジュールを複数重ねてモジュール集団梱包を構成するために位置合わせした状態を示す断面図である。
【図７Ａ】本発明の実施の形態２に係る太陽電池モジュール（変形例７）の平面状態を示す平面図である。
【図７Ｂ】本発明の実施の形態２に係る太陽電池モジュール（変形例８）の平面状態を示す平面図である。
【図７Ｃ】本発明の実施の形態２に係る太陽電池モジュール（変形例９）の平面状態を示す平面図である。
【図７Ｄ】本発明の実施の形態２に係る太陽電池モジュール（変形例１０）の平面状態を示す平面図である。
【図７Ｅ】本発明の実施の形態２に係る太陽電池モジュール（変形例１１）の平面状態を示す平面図である。
【図７Ｆ】本発明の実施の形態２に係る太陽電池モジュール（変形例１２）の平面状態を示す平面図である。
【図８Ａ】本発明の実施の形態３に係る太陽電池モジュール（変形例１３）の平面状態を示す平面図である。
【図８Ｂ】図８Ａに示した矢印８Ｂ−８Ｂでの太陽電池モジュールの断面状態を拡大して示し、併せて太陽電池モジュールを複数重ねてモジュール集団梱包を構成するために位置合わせした状態を示す拡大断面図である。
【発明を実施するための形態】
【００３１】
以下、本発明の実施の形態について図面を参照して説明する。
【００３２】
＜実施の形態１＞
図１Ａないし図３を参照して、本実施の形態に係る太陽電池モジュール１（図１Ａないし図１Ｃ）、太陽電池モジュール１の変形例としての太陽電池モジュール１ｂ（変形例１。図２Ａ、図２Ｂ）、太陽電池モジュール１の変形例としての太陽電池モジュール１ｃ（変形例２。図３）について説明する。
【００３３】
図１Ａは、本発明の実施の形態１に係る太陽電池モジュール１の平面状態を示す平面図である。
【００３４】
図１Ｂは、図１Ａに示した矢印１Ｂ−１Ｂでの太陽電池モジュール１の断面状態を拡大して示す拡大断面図である。
【００３５】
図１Ｃは、図１Ｂに示した太陽電池モジュール１を複数重ねてモジュール集団梱包１Ｍを形成したときの断面状態を示す断面図である。
【００３６】
本実施の形態に係る太陽電池モジュール１は、太陽電池セル１２が配置され受光面１１ｆおよび裏面１１ｒを有するセル領域１１と、セル領域１１の周囲に配置された枠体２０とを備える。
【００３７】
また、太陽電池モジュール１において、枠体２０は、他の太陽電池モジュール１と重ねられたとき（図１Ｃ参照）、他の太陽電池モジュール１の枠体２０に対して相互に位置決めする凸部３０を備える。
【００３８】
したがって、太陽電池モジュール１は、他の太陽電池モジュール１と相互に重ね合わされたとき両方の枠体２０を相互に位置決めする凸部３０を有することから、他の太陽電池モジュール１と高精度に重ね合わされるので、正確に位置決めしたモジュール集団梱包１Ｍ（図１Ｃ参照）を作業性良く実現できる。
【００３９】
すなわち、複数の太陽電池モジュール１を互いに重ねて集団梱包を施すとき、正確に位置決めできることから、モジュール集団梱包１Ｍとしたときに、太陽電池モジュール１相互間での位置ズレを防止して確実な固定状態とした搬送ができる。なお、モジュール集団梱包１Ｍは、枠体２０の外側を例えば帯状のバンドで締結することによって容易に一体化され、確実で安全な搬送が可能となる。
【００４０】
太陽電池モジュール１によれば、複数の太陽電池モジュール１を相互に直接重ね合わせることが可能となるので、集団梱包に際して特別な梱包部材が不要となり、廃棄物が発生しない生産性の高い集団梱包ができ、また、梱包部材の回収作業が不要となる。
【００４１】
枠体２０は、受光面１１ｆ側に配置された受光側枠部２６と、裏面１１ｒ側に配置された裏側枠部２７と、受光側枠部２６および裏側枠部２７を連結して一体化し受光面１１ｆと交差する方向に位置する外周面２８ｓを有する外周枠部２８とを備える。また、凸部３０は、受光側枠部２６に対して外周面２８ｓに沿う方向で突出し他の太陽電池モジュール１の枠体２０が有する外周面２８ｓに当接する構造（図１Ｃ参照）とされた外周凸部３１である。
【００４２】
枠体２０は、平面形状での長さが例えば（１ｍ〜２ｍ）×（２ｍ〜１ｍ）、厚さが例えば１５ｍｍ〜３０ｍｍであり、例えば矩形状とされている。矩形の枠体２０を構成する部材として、枠体２０は辺枠２０ｈ（辺枠：辺を構成する枠体）を４個有している。つまり、辺枠２０ｈは、第１辺枠２１、第２辺枠２２、第３辺枠２３、第４辺枠２４と区分され、相互に連結されて矩形を構成している。なお、辺枠２０ｈを４個としたが、相互の配置関係（矩形状態）を説明する便宜上４個に区分したものであり、実際の構造としては、例えばＬ字形状として２個の辺枠２０ｈで枠体２０を構成することも可能である。また、矩形以外の形状であっても良い。平面視で辺枠２０ｈの幅は、例えば１０ｍｍないし３０ｍｍである。
【００４３】
また、相互に対向する第１辺枠２１および第２辺枠２２の組と、相互に対向する第３辺枠２３および第４辺枠２４の組とは便宜上の組み合わせであり、相互に入れ替えて符号を付与することができる。例えば、第１辺枠２１および第２辺枠２２の位置を第３辺枠２３および第４辺枠２４の位置に配置し、第３辺枠２３および第４辺枠２４の位置を第１辺枠２１および第２辺枠２２の位置に配置して、相互に置き換えることができる。
【００４４】
以下、第１辺枠２１、第２辺枠２２、第３辺枠２３、第４辺枠２４を特に区分する必要が無い場合は、単に辺枠２０ｈとすることがある。
【００４５】
枠体２０は、十分な強度があり、比較的軽いものであれば材質はどのようなものであっても良い。枠体２０は、例えば、強度、軽度、作りやすさなどを考慮して、例えばアルミニウムあるいはアルミニウム合金などの比較的軽く、加工が容易な金属材料で製造されている。辺枠２０ｈは、枠体２０の長さ方向（第１辺枠２１、第２辺枠２２、第３辺枠２３、第４辺枠２４の長さ方向）に沿って金属材料を押出加工（押出成形）して母材（不図示）が形成される。
【００４６】
凸部３０としての外周凸部３１は、図１Ａの平面視で示す適宜の長さになるように押出成形された母材の不要な部分を除去することによって形成される。つまり、外周凸部３１は、外周面２８ｓの外周側にブロック状に突出して配置されたベース部２８ｂを外周面２８ｓに沿って受光側枠部２６と交差する方向へ突出させた形状とされている。
【００４７】
外周凸部３１としては、図１Ａ、図１Ｂに示した形状以外の構造として例えば次の構造（製造方法）も可能である。
【００４８】
外周枠部２８が有する外周面２８ｓに沿ってブロック状（直方体状）のベース部２８ｂを配置して受光側枠部２６と面一（不図示）とし、受光側枠部２６に対して面一とされたベース部２８ｂの面に穴を開けてビスをねじ込む（あるいは、リベットを打ち込む）ことによって、外周凸部３１に対応する位置に外周凸部３１と同等の作用を持たせたビス（あるいはリベット）を配置する。つまり、ビスあるいはリベットが外周凸部３１として作用する。
【００４９】
外周凸部３１は、枠体２０が有する辺枠２０ｈ（第１辺枠２１ないし第４辺枠２４のいずれか一つ）の長さ方向の例えば中央部に配置される。外周凸部３１が平面視で矩形状である場合は、外周面２８ｓに接する構造とされていることから、少なくとも１つの辺枠２０ｈ（例えば第１辺枠２１）に１つ配置されていれば容易にかつ高精度に位置決めすることができる。外周凸部３１が形成されていない辺枠２０ｈ（例えば第１辺枠２１に対向する第２辺枠２２）は、モジュール集団梱包１Ｍの外周を締結用のバンド（不図示）で締め付けることによって確実に位置決めできる。なお、外周凸部３１が、ビス、リベットなどの円柱状である場合は、円柱の外周方向での回転力によって回転する虞が生じることから、少なくとも対向する２つの辺枠２０ｈに外周凸部３１を配置することが好ましい。
【００５０】
また、外周凸部３１は、枠体２０を構成する辺枠２０ｈのそれぞれに対応させて配置することが好ましい。外周凸部３１は、上述したとおり、少なくとも１個あれば良いが、対向する２つの辺枠２０ｈ（例えば、第１辺枠２１および第２辺枠２２の組み合わせ。あるいは、第３辺枠２３および第４辺枠２４の組み合わせ）に配置されることが好ましい。対向する４つの辺枠２０ｈ（第１辺枠２１、第２辺枠２２、第３辺枠２３、第４辺枠２４）の全てに外周凸部３１を配置すれば、更に安定した位置決めが可能となる。
【００５１】
また、外周凸部３１を辺枠２０ｈのそれぞれに対して複数配置することも可能である。辺枠２０ｈのそれぞれに１個配置した場合に比較して更に位置決めの精度および強度を向上させることができる。
【００５２】
外周凸部３１（凸部３０）は、他の太陽電池モジュール１と重なる方向での突出高さＨｓが５ｍｍないし８ｍｍであることが好ましい。すなわち、太陽電池モジュール１は、他の太陽電池モジュール１に対する重なる方向での外周凸部３１の突出高さＨｓが、受光側枠部２６の外側表面から５ｍｍないし８ｍｍとされていることから、正確な位置決め、位置合わせ強度の確保、容易な形成が可能となり、また、設置された後、凸部３０（外周凸部３１）によって発生する日影の影響がセル領域１１へ及ぶことを防止できる。
【００５３】
つまり、受光側枠部２６に形成された場合の外周凸部３１（凸部３０）の突出高さＨｓは、受光側枠部２６の表面（外側表面）に対して５ｍｍ以上、５ｍｍないし８ｍｍ程度が好ましい。
【００５４】
また、外周面２８ｓに沿う方向で配置されている外周凸部３１の配置長さＬｓ（受光側枠部２６の外側表面からの突出高さＨｓと外周面２８ｓでベース部２８ｂが占めるベース長さＬｂとの和）は、受光側枠部２６の外側表面と裏側枠部２７の外側表面との間の間隔Ｔｆ以下であることが好ましい。外周凸部３１の配置長さＬｓを間隔Ｔｆ以下とすることによって、重ねた太陽電池モジュール１の枠体２０同士を隙間無く重ねることができる。
【００５５】
受光側枠部２６、裏側枠部２７、および外周枠部２８は、対向して配置された第１辺枠２１および第２辺枠２２とされてあり、外周凸部３１は、第１辺枠２１および第２辺枠２２の双方に配置されていることが好ましい。この構成によって、太陽電池モジュール１は、対向して配置された第１辺枠２１および第２辺枠２２の双方に外周凸部３１を配置していることから、他の太陽電池モジュール１に重ねられたときに高精度でかつ強固に集団梱包される。なお、第１辺枠２１および第２辺枠２２は、対称な形状であることが好ましい。
【００５６】
また、辺枠２０ｈ（枠体２０）は、第１辺枠２１および第２辺枠２２の双方に交差する第３辺枠２３および第４辺枠２４を備え、第３辺枠２３および第４辺枠２４は、第１辺枠２１および第２辺枠２２と同様に、外周凸部３１を備えることが好ましい。４個の外周凸部３１を４方向に配置することから、平面上の位置を更に確実に決めることができるので、より確実な位置決めが可能となる。
【００５７】
太陽電池モジュール１では、外周凸部３１（凸部３０）は、受光側枠部２６に対して突出した形状とされているが、凸部３０を裏側枠部２７に対して突出した形状とすることも可能である。図２Ａおよび図２Ｂを参照して、裏側枠部２７に対して凸部３０を突出させた太陽電池モジュール１ｂを太陽電池モジュール１に対する変形例１として次に説明する。
【００５８】
図２Ａは、本発明の実施の形態１に係る太陽電池モジュール１ｂ（変形例１）の断面状態を示す断面図である。なお、平面状態は、図１Ａ（太陽電池モジュール１）と同様に表され、図２Ａの断面位置は、図１Ａにおける矢印Ｂ−Ｂと同様である。
【００５９】
図２Ｂは、図２Ａに示した太陽電池モジュール１ｂを複数重ねてモジュール集団梱包１Ｍを形成したときの断面状態を示す断面図である。
【００６０】
本実施の形態に係る太陽電池モジュール１ｂ（変形例１）の基本的な構成は、太陽電池モジュール１と同様であるので、符号を援用し、主に異なる事項について説明する。
【００６１】
太陽電池モジュール１ｂにおいて、凸部３０は、裏側枠部２７に対して外周面２８ｓに沿う方向で突出し他の太陽電池モジュール１の枠体２０が有する外周面２８ｓに当接する構造（図２Ｂ参照）とされた外周凸部３２である。
【００６２】
外周凸部３２（凸部３０）は、他の太陽電池モジュール１と重なる方向での突出高さＨｓが５ｍｍないし８ｍｍであることが好ましい。すなわち、太陽電池モジュール１ｂは、他の太陽電池モジュール１に対する重なる方向での外周凸部３２の突出高さＨｓが、受光側枠部２６の外側表面から５ｍｍないし８ｍｍとされていることから、正確な位置決め、位置合わせ強度の確保、容易な形成が可能となり、また、設置された後、凸部３０（外周凸部３２）によって発生する日影の影響がセル領域１１へ及ぶことを防止できる。
【００６３】
つまり、裏側枠部２７に形成された場合の外周凸部３２（凸部３０）の突出高さＨｓは、裏側枠部２７の表面（外側表面）に対して５ｍｍ以上、５ｍｍないし８ｍｍ程度が好ましい。
【００６４】
また、外周面２８ｓに沿う方向で配置されている外周凸部３２の配置長さＬｓ（裏側枠部２７の外側表面からの突出高さＨｓと外周面２８ｓでベース部２８ｂが占めるベース長さＬｂとの和）は、受光側枠部２６の外側表面と裏側枠部２７の外側表面との間の間隔Ｔｆ以下であることが好ましい。外周凸部３１の配置長さＬｓを間隔Ｔｆ以下とすることによって、重ねた太陽電池モジュール１ｂの枠体２０同士を隙間無く重ねることができる。
【００６５】
凸部３０（外周凸部３１、外周凸部３２）のその他の寸法は、太陽電池モジュール１（太陽電池モジュール１ｂ、太陽電池モジュール１ｃ）の枠体２０の大きさに応じて適宜設定される。
【００６６】
上述したとおり、太陽電池モジュール１、太陽電池モジュール１ｂでは、凸部３０としての外周凸部３１、外周凸部３２は、平面視で辺枠２０ｈの全長に対して例えば中央部に部分的に形成された矩形状である。これに対し、図３を参照して、凸部３０が辺枠２０ｈの全長に渡って形成された太陽電池モジュール１ｃを太陽電池モジュール１に対する変形例２として説明する。
【００６７】
なお、外周凸部３２を備える太陽電池モジュール１ｂの場合、太陽電池モジュール１ｂを載置する架台に外周凸部３２を受け入れる凹部を予め形成するなどの対応が必要である。
【００６８】
図３は、本発明の実施の形態１に係る太陽電池モジュール１ｃ（変形例２）の平面状態を示す平面図である。なお、断面状態は、図１Ｂ、あるいは、図２Ａと同様に示される。
【００６９】
太陽電池モジュール１ｃ（変形例２）の基本的な構成は、太陽電池モジュール１と同様であるので、符号を援用し、主に異なる事項について説明する。
【００７０】
太陽電池モジュール１での外周凸部３１、太陽電池モジュール１ｂでの外周凸部３２が辺枠２０ｈの長さに比較して短くされていたのに対し、太陽電池モジュール１ｃでは、凸部３０としての外周凸部３３は、辺枠２０ｈの長さと同じ長さに延長されている。
【００７１】
すなわち、太陽電池モジュール１ｃにおいては、外周凸部３３は、第１辺枠２１および第２辺枠２２（辺枠２０ｈ。枠体２０）の少なくとも１つで長さ方向に沿って延長されている。したがって、太陽電池モジュール１ｃは、枠体２０（辺枠２０ｈ）の長さ方向に沿って延長された外周凸部３３を備えることから、安定した位置決めが可能となる。
【００７２】
なお、太陽電池モジュール１ｃでは、第１辺枠２１および第２辺枠２２（合わせて２辺）に加えて第３辺枠２３および第４辺枠２４（合わせて４辺）に配置された外周凸部３３も長さ方向で延長されていることから、更に確実に、かつ強固に位置決めされている。
【００７３】
外周凸部３３は、外周凸部３１、外周凸部３２と同様に製造することが可能である。つまり、外周凸部３３は、アルミニウムあるいはアルミニウム合金などの金属材料を押出加工することによって長さ方向に凸部３０（外周凸部３３）が形成される。また、外周凸部３１、外周凸部３２を形成するときに必要であった余分な部分を除去する除去工程が不要である。したがって、押し出し工程で形成した形状をそのまま適用することができ、外周凸部３３を形成するための削除が不要であることから、容易に形成が可能となる。
【００７４】
外周凸部３３は、対向する２つの辺枠２０ｈ（例えば第１辺枠２１、第２辺枠２２）に形成されも良い。１つの外周凸部３３の場合に比較して更に安定した位置決めおよび強度が確保される。また、対向する４つの辺枠２０ｈ（第１辺枠２１、第２辺枠２２に加えて第３辺枠２３、第４辺枠２４）に配置された場合（図３の場合）は、更に安定した位置決めが可能となる。
【００７５】
なお、外周凸部３３が適宜の位置で分割されたときは、外周凸部３１が複数個配置された状態と同様となる。
【００７６】
上述したとおり、本実施の形態に係る太陽電池モジュール１（および、変形例１としての太陽電池モジュール１ｂ、変形例２としての太陽電池モジュール１ｃ。以下単に太陽電池モジュール１とすることがある。）は、太陽電池セル１２が配置され受光面１１ｆおよび裏面１１ｒを有するセル領域１１と、セル領域１１の周囲に配置された枠体２０とを備える太陽電池モジュール１であって、枠体２０は、他の太陽電池モジュール１と重ねられたとき、他の太陽電池モジュール１の枠体２０に対して相互に位置決めする凸部３０を備える。
【００７７】
したがって、本発明に係る太陽電池モジュール１は、他の太陽電池モジュール１と相互に重ね合わされたとき両方の枠体２０を相互に位置決めする凸部３０を備えることから、他の太陽電池モジュール１と高精度に重ね合わされるので、正確に位置決めしたモジュール集団梱包１Ｍを作業性良く実現できる。
【００７８】
また、本実施の形態に係る太陽電池モジュール１では、凸部３０は、受光側枠部２６および裏側枠部２７のいずれか一方に対して外周面２８ｓに沿う方向で突出し他の太陽電池モジュール１の枠体２０が有する外周面２８ｓに当接する構造とされた外周凸部３１（外周凸部３２、外周凸部３３）である。
【００７９】
したがって、太陽電池モジュール１は、枠体２０が備える外周枠部２８の外周面２８ｓに沿う方向で配置された外周凸部３１（外周凸部３２、外周凸部３３）が受光側枠部２６および裏側枠部２７のいずれか一方から突出され互いに重なる他の太陽電池モジュール１の枠体２０が備える外周面２８ｓに当接して位置決めされることから、他の太陽電池モジュール１の枠体２０が備える外周面２８ｓに対して外周凸部３１（外周凸部３２、外周凸部３３）を当接させるので、他の太陽電池モジュール１と重ねられたときに確実な位置決めをすることができる。
【００８０】
また、本実施の形態に係る太陽電池モジュール１では、外周凸部３１（外周凸部３３。つまり、凸部３０）は、他の太陽電池モジュール１と重なる方向での突出高さＨｓが５ｍｍないし８ｍｍであることが好ましい。すなわち、太陽電池モジュール１は、他の太陽電池モジュール１に対する重なる方向での外周凸部３１の突出高さＨｓが、受光側枠部２６の外側表面から５ｍｍないし８ｍｍとされていることから、正確な位置決め、位置合わせ強度の確保、容易な形成が可能となり、また、設置された後、凸部３０（外周凸部３１）によって発生する日影の影響がセル領域１１へ及ぶことを防止できる。
【００８１】
また、本実施の形態に係る太陽電池モジュール１では、受光側枠部２６、裏側枠部２７、および外周枠部２８は、対向して配置された第１辺枠２１および第２辺枠２２とされてあり、外周凸部３１（または、外周凸部３２、外周凸部３３）は、第１辺枠２１および第２辺枠２２の双方に配置されていることが好ましい。
【００８２】
したがって、太陽電池モジュール１は、対向して配置された第１辺枠２１および第２辺枠２２の双方に外周凸部３１（外周凸部３２、外周凸部３３）を配置していることから、他の太陽電池モジュール１に重ねられたときに高精度でかつ強固に集団梱包される。
【００８３】
凸部３０（外周凸部３１、外周凸部３２）は、辺枠２０ｈのそれぞれに１つ配置された場合を例示したが、辺枠２０ｈのそれぞれに複数配置することも可能であり、この場合には、更に位置決めの精度を向上させ、位置ズレの発生を更に防止することができる。
【００８４】
本実施の形態では、凸部３０（外周凸部３１、外周凸部３２、外周凸部３３）は、枠体２０（辺枠２０ｈ）に直接形成されていることから、他の部材が不要であり、また、廃棄物が生じる虞が無く、廃棄部材を回収する手間を省くことができる。
【００８５】
＜実施の形態２＞
図４Ａないし図７Ｆを参照して、実施の形態１に係る太陽電池モジュール１の変形例としての本実施の形態に係る太陽電池モジュール１ｄ（変形例３。図４Ａ、図４Ｂ）、太陽電池モジュール１ｅ（変形例４。図５Ａ、図５Ｂ）、太陽電池モジュール１ｆ（変形例５。図６Ａ）、太陽電池モジュール１ｇ（変形例６。図６Ｂ）、太陽電池モジュール１ｈ（変形例７。図７Ａ）、太陽電池モジュール１ｉ（変形例８。図７Ｂ）、太陽電池モジュール１ｊ（変形例９。図７Ｃ）、太陽電池モジュール１ｋ（変形例１０。図７Ｄ）、太陽電池モジュール１ｎ（変形例１１。図７Ｅ）、太陽電池モジュール１ｐ（変形例１２。図７Ｆ）について説明する。
【００８６】
本実施の形態に係る太陽電池モジュール１ｄないし太陽電池モジュール１ｐ（以下、単に太陽電池モジュール１とすることがある。）の基本的な構成は、実施の形態１に係る太陽電池モジュール１（太陽電池モジュール１ｂ、太陽電池モジュール１ｃ）と同様であるので、符号を援用し、主に異なる事項について説明する。また、太陽電池モジュール１ｄないし太陽電池モジュール１ｐ相互についても基本的な構成は同様であり、主に異なる事項について説明する。
【００８７】
図４Ａは、本発明の実施の形態２に係る太陽電池モジュール１ｄ（変形例３）の平面状態を示す平面図である。
【００８８】
図４Ｂは、図４Ａに示した矢印４Ｂ−４Ｂでの太陽電池モジュール１ｄの断面状態を拡大して示し、併せて太陽電池モジュール１ｄを複数重ねてモジュール集団梱包１Ｍを構成するために位置合わせした状態を示す拡大断面図である。
【００８９】
本実施の形態に係る太陽電池モジュール１ｄ（変形例３）において、枠体２０は、受光面１１ｆ側に配置された受光側枠部２６と、裏面１１ｒ側に配置された裏側枠部２７と、受光側枠部２６および裏側枠部２７を連結して一体化する外周枠部２８とを備え、凸部３０は、受光側枠部２６から突出し他の太陽電池モジュール１ｄの枠体２０に対向する対向凸部３５であり、裏側枠部２７は、平面視で対向凸部３５に位置合わせして裏側枠部２７に形成され対向凸部３５が嵌め込まれる形状を有する凹部３５ｒを備える。
【００９０】
したがって、太陽電池モジュール１ｄは、受光側枠部２６から突出した対向凸部３５と、対向凸部３５に平面視で位置合わせして裏側枠部２７に形成され対向凸部３５が嵌め込まれる形状を有する凹部３５ｒとを備えることから、他の太陽電池モジュール１ｄと重ねられたときに、対向凸部３５が他の太陽電池モジュール１ｄの凹部３５ｒに嵌め込まれるので、重ねられた両方の枠体２０を高精度でかつ強固に位置決めすることができ、集団梱包の作業性を向上することができる。
【００９１】
なお、凸部３０としての対向凸部３５は、辺枠２０ｈの内の１辺である第１辺枠２１に配置されている。
【００９２】
凹部３５ｒの深さＤｓは、突出高さＨｓを有する対向凸部３５が確実に嵌め込まれる深さであれば良い。また、対向凸部３５、凹部３５ｒを平面視で例えば矩形とすることによって、対向凸部３５、凹部３５ｒは、それぞれ少なくとも１つあれば複数の太陽電池モジュール１ｄを重ねて相互に位置決めした太陽電池モジュール１Ｍを構成することができる。
【００９３】
対向凸部３５、凹部３５ｒの平面視での形状は、矩形以外に種々の多角形が適用される。なお、凸部３０が１個の場合、平面視での形状を円形とすると回転によって位置ズレを生じる虞があることから、対向凸部３５、凹部３５ｒの平面視での形状は、円形以外の多角形とすることが好ましい。
【００９４】
また、凹部３５ｒは、枠体２０（辺枠２０ｈ）において、水抜き用の穴として利用することができる。
【００９５】
図５Ａは、本発明の実施の形態２に係る太陽電池モジュール１ｅ（変形例４）の平面状態を示す平面図である。
【００９６】
図５Ｂは、図５Ａに示した矢印５Ｂ−５Ｂでの太陽電池モジュール１ｅの断面状態を拡大して示し、併せて太陽電池モジュール１ｅを複数重ねてモジュール集団梱包１Ｍを構成するために位置合わせした状態を示す拡大断面図である。
【００９７】
太陽電池モジュール１ｄ（図４Ａ）では、対向凸部３５は１つとされているが、太陽電池モジュール１ｅ（変形例４）では、凸部３０としての対向凸部３５は、辺枠２０ｈの内の第１辺枠２１および第２辺枠２２の２辺にそれぞれ配置され、対向する位置に合わせて２つ配置されている。２つの辺は、高精度に位置決めするために、相互に対向する位置にある辺枠２０ｈ（例えば、第１辺枠２１および第２辺枠２２）であることが好ましい。
【００９８】
なお、対向凸部３５を相互に対向する辺枠２０ｈ（例えば、第１辺枠２１、第２辺枠２２）にそれぞれ配置して、対向する２つの対向凸部３５を配置していることから、太陽電池モジュール１ｄは、互いに重ねられたとき、確実に位置決めされる。また、対向凸部３５は、平面視で矩形ではない例えば円形であっても、高精度に太陽電池モジュール１ｅを位置決めすることができる。
【００９９】
上述したとおり、太陽電池モジュール１ｅにおいて、受光側枠部２６、裏側枠部２７、および外周枠部２８は、対向して配置された第１辺枠２１および第２辺枠２２とされてあり、対向凸部３５は、第１辺枠２１および第２辺枠２２の双方に配置されている。
【０１００】
したがって、太陽電池モジュール１ｅは、対向して配置された第１辺枠２１および第２辺枠２２の双方に対向凸部３５を配置していることから、他の太陽電池モジュール１ｅとともに高精度でかつ強固に集団梱包される。なお、辺枠２０ｈでの対向凸部３５（凹部３５ｒ）の配置は、対向する辺枠２０ｈに対して対称的に配置することが好ましい。例えば、第１辺枠２１の中央に対向凸部３５が配置されたときは、第１辺枠２１に対向する第２辺枠２２の中央に対向凸部３５を配置することが好ましい。
【０１０１】
図６Ａは、本発明の実施の形態２に係る太陽電池モジュール１ｆ（変形例５）の断面状態を示し、併せて太陽電池モジュール１ｆを複数重ねてモジュール集団梱包１Ｍを構成するために位置合わせした状態を示す断面図である。なお、平面状態は、図４Ａと同様に表される。
【０１０２】
太陽電池モジュール１ｄ（図４Ａ）、太陽電池モジュール１ｅ（図５Ａ）では、凸部３０としての対向凸部３５は、受光側枠部２６の外側表面に配置されているが、太陽電池モジュール１ｆ（変形例５）においては、対向凸部３６は、裏側枠部２７の外側表面に配置されている。また、太陽電池モジュール１ｆでは、対向凸部３６は、１個のみとされて例えば第１辺枠２１の裏側枠部２７に配置されている。
【０１０３】
すなわち、本実施の形態に係る太陽電池モジュール１ｆ（変形例５）において、枠体２０は、受光面１１ｆ側に配置された受光側枠部２６と、裏面１１ｒ側に配置された裏側枠部２７と、受光側枠部２６および裏側枠部２７を連結して一体化する外周枠部２８とを備え、凸部３０は、裏側枠部２７から突出し他の太陽電池モジュール１ｆの枠体２０に対向する対向凸部３６であり、受光側枠部２６は、平面視で対向凸部３６に位置合わせして形成され対向凸部３６が嵌め込まれる形状を有する凹部３６ｒを備える。
【０１０４】
したがって、本発明に係る太陽電池モジュール１ｆは、裏側枠部２７から突出した対向凸部３６と、対向凸部３６に平面視で位置合わせして受光側枠部２６に形成され対向凸部３６が嵌め込まれる形状を有する凹部３６ｒとを備えることから、他の太陽電池モジュール１ｆと重ねられたときに、対向凸部３６が他の太陽電池モジュール１ｆの凹部３６ｒに嵌め込まれるので、重ねられた両方の枠体２０を高精度でかつ強固に位置決めすることができ、集団梱包の作業性を向上することができる。
【０１０５】
図６Ｂは、本発明の実施の形態２に係る太陽電池モジュール１ｇ（変形例６）の断面状態を示し、併せて太陽電池モジュール１ｇを複数重ねてモジュール集団梱包１Ｍを構成するために位置合わせした状態を示す断面図である。なお、平面状態は、図５Ａと同様に表される。
【０１０６】
太陽電池モジュール１ｆ（図６Ａ）では、対向凸部３６は、１つとされているが、太陽電池モジュール１ｇ（変形例６）では、凸部３０としての対向凸部３６は、辺枠２０ｈの内の第１辺枠２１および第２辺枠２２の２辺にそれぞれ配置され、対向する位置に合わせて２つ配置されている。２つの辺は、高精度に位置決めするために、相互に対向する位置にある辺枠２０ｈ（例えば、第１辺枠２１および第２辺枠２２）であることが好ましい。
【０１０７】
なお、対向凸部３６を相互に対向する辺枠２０ｈにそれぞれ配置して、対向する２つの対向凸部３６を配置していることから、太陽電池モジュール１ｇは、互いに重ねられたとき、確実に位置決めされ、対向凸部３６は、平面視で矩形ではない例えば円形であっても、高精度に太陽電池モジュール１ｇを位置決めすることができる。
【０１０８】
上述したとおり、太陽電池モジュール１ｇにおいて、受光側枠部２６、裏側枠部２７、および外周枠部２８は、対向して配置された第１辺枠２１および第２辺枠２２とされてあり、対向凸部３６は、第１辺枠２１および第２辺枠２２の双方に配置されている。
【０１０９】
したがって、太陽電池モジュール１ｇは、対向して配置された第１辺枠２１および第２辺枠２２の双方に対向凸部３６を配置していることから、他の太陽電池モジュール１ｇとともに高精度でかつ強固に集団梱包される。
【０１１０】
なお、第１辺枠２１および第２辺枠２２の双方として例示したが、第１辺枠２１および第２辺枠２２に交差して配置された第３辺枠２３および第４辺枠２４の双方に対向凸部３６を配置する形態であっても良い。また、第１辺枠２１および第２辺枠２２に対して第３辺枠２３および第４辺枠２４は互いに入れ替えすることも可能であり、対向する少なくとも２つの辺枠２０ｈに対向凸部３６が形成されていれば良い。
【０１１１】
図４Ａないし図６Ｂに示した太陽電池モジュール１ｄないし太陽電池モジュール１ｇでは、凸部３０としての対向凸部３５が受光側枠部２６に配置された場合、また、凸部３０としての対向凸部３６が裏側枠部２７に配置された場合を説明した。
【０１１２】
次に、対向凸部３５の平面配置の変形例を図７Ａないし図７Ｆを参照して説明する。なお、対向凸部３５を例示して説明するが、対向凸部３６についても同様に適用される。したがって、対向凸部３６についての説明は以下では適宜省略する。
【０１１３】
図７Ａないし図７Ｆにおいて、太陽電池モジュール１は、矩形状の枠体２０を備える構成として説明するが、矩形以外の形状とすることも可能である。
【０１１４】
図７Ａは、本発明の実施の形態２に係る太陽電池モジュール１ｈ（変形例７）の平面状態を示す平面図である。
【０１１５】
太陽電池モジュール１ｈ（変形例７）では、枠体２０は、４つの枠辺２０ｈ（第１辺枠２１、第２辺枠２２、第３辺枠２３、第４辺枠２４）が相互に対向する矩形とされてあり、対向凸部３５は、矩形（枠体２０）の対角にある２つの角部２０ｃに配置されていることが好ましい。
【０１１６】
したがって、太陽電池モジュール１ｈは、４つの辺枠２０ｈが相互に対向して形成する矩形の対角にある２つの角部２０ｃに対向凸部３５を配置していることから、他の太陽電池モジュール１ｈとともに高精度でかつ強固に集団梱包される。
【０１１７】
矩形の対角（対角線上）にある角部２０ｃに対向凸部３５を配置することから、対向凸部３５（凸部３０）相互間の間隔を最大化するので、位置決め精度を向上させることができる。対向凸部３５の平面視での形状は、角部２０ｃに配置されることから、正方形とすることが好ましい。
【０１１８】
枠体２０の平面形状としては、第１辺枠２１および第２辺枠２２が相互に対称的に対向し、第３辺枠２３および第４辺枠２４が相互に対称的に対向し、第１辺枠２１および第２辺枠２２に対して第３辺枠２３および第４辺枠２４が交差する構成とされていることが好ましい。更には、第１辺枠２１、第２辺枠２２、第３辺枠２３、第４辺枠２４は、相互に直交して矩形（長方形、あるいは正方形）を構成することが好ましい。
【０１１９】
また、受光側枠部２６に配置された対向凸部３５の代わりに、裏側枠部２７の角部２０ｃに対向凸部３６を配置することも可能であり、対向凸部３６を配置した場合、対向凸部３５の場合と同様の効果が得られる。以下の図７Ｂ（太陽電池モジュール１ｉ）ないし図７Ｆ（太陽電池モジュール１ｐ）において同様である。
【０１２０】
図７Ｂは、本発明の実施の形態２に係る太陽電池モジュール１ｉ（変形例８）の平面状態を示す平面図である。
【０１２１】
太陽電池モジュール１ｉ（変形例８）では、対向凸部３５は、長辺である第１辺枠２１および第２辺枠２２と交差する短辺としての第３辺枠２３および第４辺枠２４に配置されている。太陽電池モジュール１ｅ（図５Ａ）では、長辺とされた第１辺枠２１、第２辺枠２２に対向凸部３５が配置されているが、太陽電池モジュール１ｉでは、第３辺枠２３、第４辺枠２４に対向凸部３５が配置されている。
【０１２２】
したがって、太陽電池モジュール１では、対向する辺枠２０ｈのいずれかを選択して対向凸部３５を配置することができる。例えば、第１辺枠２１および第２辺枠２２の部材に対して第３辺枠２３および第４辺枠２４の部材が異なる場合に、対向凸部３５を配置するのに適した部材で形成された辺枠２０ｈ（例えば、第３辺枠２３および第４辺枠２４）を選択することができる。
【０１２３】
図７Ｃは、本発明の実施の形態２に係る太陽電池モジュール１ｊ（変形例９）の平面状態を示す平面図である。
【０１２４】
太陽電池モジュール１ｊ（変形例９）では、辺枠２０ｈの全て（第１辺枠２１ないし第４辺枠２４）に対向凸部３５を配置している。したがって、重ねられた複数の太陽電池モジュール１ｊを更に高精度に位置決めすることができる。
【０１２５】
図７Ｄは、本発明の実施の形態２に係る太陽電池モジュール１ｋ（変形例１０）の平面状態を示す平面図である。
【０１２６】
太陽電池モジュール１ｋ（変形例１０）では、太陽電池モジュール１ｊにおける対向凸部３５の個数を複数にしている。したがって、より高精度で強度の高い位置決めをすることができる。なお、それぞれの辺枠２０ｈに配置された複数の対向凸部３５は、それぞれの辺枠２０ｈに加わる外力などを考慮して適宜の配置が選定される。
【０１２７】
図７Ｅは、本発明の実施の形態２に係る太陽電池モジュール１ｎ（変形例１１）の平面状態を示す平面図である。
【０１２８】
太陽電池モジュール１ｎ（変形例１１）では、対向凸部３５は、それぞれの辺枠２０ｈで端から端まで延長して配置されている。したがって、押出加工（押出成形）によって成形した場合には、押出成形で成形された状態をそのまま利用することができる。
【０１２９】
図７Ｆは、本発明の実施の形態２に係る太陽電池モジュール１ｐ（変形例１２）の平面状態を示す平面図である。
【０１３０】
太陽電池モジュール１ｎにおける対向凸部３５が辺枠２０ｈの端から端まで延長されていたのに対して、太陽電池モジュール１ｐ（変形例１２）では、対向凸部３５は、中間部分が除去され、複数に分離して配置されている。押出加工によって成形した後の除去工程が簡単であり、また、高精度な位置決めを可能とし、セル領域１１の受光面１１ｆでの雨水の滞留などを抑制することができる。
【０１３１】
上述したとおり、本実施の形態に係る太陽電池モジュール１ｄないし太陽電池モジュール１ｐは、太陽電池セル１２が配置され受光面１１ｆおよび裏面１１ｒを有するセル領域１１と、セル領域１１の周囲に配置された枠体２０とを備える。また、太陽電池モジュール１ｄないし太陽電池モジュール１ｐにおいて、枠体２０は、他の太陽電池モジュール１（太陽電池モジュール１ｄないし太陽電池モジュール１ｐ）と重ねられたとき、他の太陽電池モジュール１の枠体２０に対して相互に位置決めする凸部３０（対向凸部３５、あるいは、対向凸部３６）を備える。
【０１３２】
したがって、太陽電池モジュール１（太陽電池モジュール１ｄないし太陽電池モジュール１ｐ）は、他の太陽電池モジュール１と相互に重ね合わされたとき両方の枠体２０を相互に位置決めする凸部３０（対向凸部３５、あるいは、対向凸部３６）を備えることから、他の太陽電池モジュール１と高精度に重ね合わされるので、正確に位置決めしたモジュール集団梱包１Ｍを作業性良く実現できる。
【０１３３】
＜実施の形態３＞
図８Ａおよび図８Ｂを参照して、実施の形態１に係る太陽電池モジュール１の変形例としての本実施の形態に係る太陽電池モジュール１ｑについて説明する。
【０１３４】
本実施の形態に係る太陽電池モジュール１ｑ（以下、単に太陽電池モジュール１とすることがある。）の基本的な構成は、実施の形態１に係る太陽電池モジュール１（太陽電池モジュール１ｂ、太陽電池モジュール１ｃ）、実施の形態２に係る太陽電池モジュール１（太陽電池モジュール１ｄないし太陽電池モジュール１ｐ）と同様であるので、符号を援用し、主に異なる事項について説明する。
【０１３５】
図８Ａは、本発明の実施の形態３に係る太陽電池モジュール１ｑ（変形例１３）の平面状態を示す平面図である。
【０１３６】
図８Ｂは、図８Ａに示した矢印８Ｂ−８Ｂでの太陽電池モジュール１ｑの断面状態を拡大して示し、併せて太陽電池モジュール１ｑを複数重ねてモジュール集団梱包１Ｍを構成するために位置合わせした状態を示す拡大断面図である。
【０１３７】
本実施の形態に係る太陽電池モジュール１ｑ（変形例１３）においては、枠体２０は、受光面１１ｆ側に配置された受光側枠部２６と、裏面１１ｒ側に配置された裏側枠部２７と、受光側枠部２６および裏側枠部２７を連結して一体化する外周枠部２８とを備え、受光側枠部２６、裏側枠部２７、および外周枠部２８は、対称な形状で対向して配置された第１辺枠２１および第２辺枠２２とされてあり、凸部３０は、第１辺枠２１の受光側枠部２６から突出して他の太陽電池モジュール１ｑの枠体２０に対向する対向凸部３８であり、第２辺枠２２は、枠体２０を平面上で１８０度回転させたときの対向凸部３８に位置合わせして裏側枠部２７に形成され対向凸部３８が嵌め込まれる形状を有する凹部３８ｒを備える。
【０１３８】
したがって、太陽電池モジュール１ｑは、対称な形状で対向して配置された第１辺枠２１および第２辺枠２２を備え、第１辺枠２１の受光側枠部２６から突出した対向凸部３８と、枠体２０を平面上で１８０度回転させたときの対向凸部３８に位置合わせして第２辺枠２２の裏側枠部２７に形成され対向凸部３８が嵌め込まれる形状を有する凹部３８ｒとを備えることから、第１辺枠２１の受光側枠部２６に対向凸部３８を、第２辺枠２２の裏側枠部２７に凹部３８ｒを備えるという簡単な構造で、他の太陽電池モジュール１ｑと重ねられたときに、対向凸部３８が他の太陽電池モジュール１ｑの凹部３８ｒに嵌め込まれるので、重ねられた両方の枠体２０を高精度でかつ強固に位置決めすることができ、集団梱包の作業性を向上することができる。
【０１３９】
第１辺枠２１に対向する第２辺枠２２の裏側枠部２７に形成された凹部３８ｒは、枠体２０を平面上で１８０度回転させたとき、第１辺枠２１の対向凸部３８に位置合わせされ、対向凸部３８が嵌め込まれる形状とされている。したがって、最小個数（１個）の対向凸部３８と凹部３８ｒを枠体２０において対向する反対の位置に配置された第１辺枠２１の受光側枠部２６および第２辺枠２２の裏側枠部２７にそれぞれ別々に配置することによって、太陽電池モジュール１ｑを重ねるときに相互に１８０度順に回転させて重ねることによって、高精度に重ね合わせることができる。
【０１４０】
なお、太陽電池モジュール１の平面視でのレイアウトは、セル配置方向１０ｄで示すように、交互に反転（平面上で１８０度回転）させられる。したがって、重ねるときに反転作業が必要となるが、枠体２０の構造を簡略化することができる。
【０１４１】
なお、対向凸部３８および凹部３８ｒは、太陽電池モジュール１ｐ（図７Ｆ）の対向凸部３５と同様適宜分割して配置することができる。また、対向凸部３８（凹部３８ｒ）は、細長い矩形であるが、短い矩形（例えば、図４Ａで示した対向凸部３５）、その他の多角形、あるいは円形であっても良い。
【０１４２】
上述したとおり、実施の形態１ないし実施の形態３として種々の変形例を例示したが、それぞれの変形例は、技術的に矛盾の生じない範囲で相互の組み合わせによって太陽電池モジュール１を構成することが可能である。
【０１４３】
また、セル領域１１に配置される太陽電池セル１２は、どのような種類の太陽電池セルであっても良い。例えば、シリコン系、化合物半導体系、結晶系、薄膜系など種々の形態の太陽電池セルを適用することができる。
【符号の説明】
【０１４４】
１  太陽電池モジュール
１ｂ、１ｃ、１ｄ、１ｅ、１ｆ、１ｇ、１ｈ、１ｉ、１ｊ、１ｋ、１ｎ、１ｐ、１ｑ  太陽電池モジュール（変形例）
１Ｍ  モジュール集団梱包
１０  積層体
１０ｄ  セル配置方向
１１  セル領域
１１ｆ  受光面
１１ｒ  裏面
１２  太陽電池セル
２０  枠体
２０ｃ  角部
２０ｈ  辺枠
２１  第１辺枠
２２  第２辺枠
２３  第３辺枠
２４  第４辺枠
２６  受光側枠部
２７  裏側枠部
２８  外周枠部
２８ｓ  外周面
２８ｂ  ベース部
３０  凸部
３１  外周凸部
３２  外周凸部
３３  外周凸部
３５  対向凸部
３５ｒ  凹部
３６  対向凸部
３６ｒ  凹部
３８  対向凸部
３８ｒ  凹部
Ｄｓ  深さ
Ｈｓ  突出高さ
Ｌｂ  ベース長さ
Ｌｓ  配置長さ
Ｔｆ  間隔
【図１Ａ】
2013110222.tif 000003
【図１Ｂ】
2013110222.tif 000004
【図１Ｃ】
2013110222.tif 000005
【図２Ａ】
2013110222.tif 000006
【図２Ｂ】
2013110222.tif 000007
【図３】
2013110222.tif 000008
【図４Ａ】
2013110222.tif 000009
【図４Ｂ】
2013110222.tif 000010
【図５Ａ】
2013110222.tif 000011
【図５Ｂ】
2013110222.tif 000012
【図６Ａ】
2013110222.tif 000013
【図６Ｂ】
2013110222.tif 000014
【図７Ａ】
2013110222.tif 000015
【図７Ｂ】
2013110222.tif 000016
【図７Ｃ】
2013110222.tif 000017
【図７Ｄ】
2013110222.tif 000018
【図７Ｅ】
2013110222.tif 000019
【図７Ｆ】
2013110222.tif 000020
【図８Ａ】
2013110222.tif 000021
【図８Ｂ】
2013110222.tif 000022